(57)【要約】【課題】反転駆動方式を用いる液晶駆動装置の平均描画速度を向上させる。【解決手段】所定の期間を規定する第１の信号が入力され、前記第１の信号により入力が開始される第１のデータを保持する第１のラッチと、前記第１のデータを基に生成された第２のデータを正極性で出力する第１の期間を規定する第１のレジスターと、を含み、前記第１の期間は前記所定の期間よりも長く、前記第１のラッチに保持された前記第１のデータを基に生成された第３のデータを負極性で出力する第２の期間は前記所定の期間よりも短いことを特徴とする液晶駆動装置を提供する。【選択図】図１
2011186282.tif 000002
【特許請求の範囲】
【請求項１】
所定の期間を規定する第１の信号が入力され、
前記第１の信号により入力が開始される第１のデータを保持する第１のラッチと、
前記第１のデータを基に生成された第２のデータを正極性で出力する第１の期間を規定する第１のレジスターと、を含み、
前記第１の期間は前記所定の期間よりも長く、
前記第１のラッチに保持された前記第１のデータを基に生成された第３のデータを負極性で出力する第２の期間は前記所定の期間よりも短いことを特徴とする液晶駆動装置。
【請求項２】
前記第１の期間の長さと前記第２の期間の長さとを加えた第３の期間の長さは、前記所定の期間の長さの２倍であることを特徴とする請求項１に記載の液晶駆動装置。
【請求項３】
前記第１の信号は、水平同期信号であることを特徴とする請求項１又は２に記載の液晶駆動装置。
【請求項４】
前記第１の期間は、前記所定の期間の長さと前記第２の期間の長さとの差である第１の時間の長さで規定され、
前記第１のレジスターには前記第１の時間の長さを示す値が保持されることを特徴とする請求項１乃至３のいずれか一項に記載の液晶駆動装置。
【請求項５】
第１の時間の長さを前記所定の期間の長さと前記第２の期間の長さとの差としたときに、
前記第１の期間は、前記所定の期間の長さと前記第１の時間の長さとの和である第２の時間の長さで規定され、
前記第１のレジスターには前記第２の時間の長さを示す値が保持されることを特徴とする請求項１乃至３のいずれか一項に記載の液晶駆動装置。
【請求項６】
請求項１乃至５のいずれか一項に記載の液晶駆動装置を有する液晶表示装置。
【請求項７】
請求項６に記載の液晶表示装置を有する電子機器。
【請求項８】
所定の期間を規定する第１の信号が入力され、
前記第１の信号により入力が開始される第１のデータを保持する第１のラッチと、
前記第１のデータを基に生成された第２のデータを正極性で出力する第１の期間を規定する第１のレジスターと、を用い、
前記第１の期間は前記所定の期間よりも長くし、
前記第１のラッチに保持された前記第１のデータを基に生成された第３のデータを負極性で出力する第２の期間は前記所定の期間よりも短くすることを特徴とする液晶駆動装置の制御方法。
【請求項９】
前記第１の期間の長さと前記第２の期間の長さとを加えた第３の期間の長さは、前記所定の期間の長さの２倍であることを特徴とする請求項８に記載の液晶駆動装置の制御方法。
【請求項１０】
前記第１の信号は、水平同期信号であることを特徴とする請求項８又は９に記載の液晶駆動装置の制御方法。
【請求項１１】
前記第１の期間は、前記所定の期間の長さと前記第２の期間の長さとの差である第１の時間の長さで規定され、
前記第１のレジスターには前記第１の時間の長さを示す値が保持されることを特徴とする請求項８乃至１０のいずれか一項に記載の液晶駆動装置の制御方法。
【請求項１２】
第１の時間の長さを前記所定の期間の長さと前記第２の期間の長さとの差としたときに、
前記第１の期間は、前記所定の期間の長さと前記第１の時間の長さとの和である第２の時間の長さで規定され、
前記第１のレジスターには前記第２の時間の長さを示す値が保持されることを特徴とする請求項８乃至１０のいずれか一項に記載の液晶駆動装置の制御方法。
【発明の詳細な説明】
【技術分野】
【０００１】
本発明は、たとえば液晶表示装置に用いられる液晶駆動装置に関する。
【背景技術】
【０００２】
従来、液晶組成物を用いた液晶パネルを利用した液晶表示装置が様々なところで利用されている。液晶表示装置は、液晶駆動装置を用いて液晶パネルに所定の電圧を印加することで液晶組成物の状態を変化させ画像の表示を行う装置であるが、液晶組成物の特性上、印加する電圧の極性を固定とすると液晶パネルの劣化を早めてしまうことが知られている。このため、反転駆動方式と呼ばれる、所定の期間で印加する電圧の極性を反転させる駆動方法が取られている。反転駆動方式には、画素単位で反転させるドット反転駆動方式、ライン単位で反転させるライン反転駆動方式及びフレーム単位で反転させるフレーム反転方式などがある。
【０００３】
特許文献１には、上記反転駆動方式に加えて、表示データをマルチプレクスして表示信号として液晶パネルに供給し、液晶パネル上に設けたデマルチプレクス回路によりマルチプレクスされた表示信号を分割して複数のソースラインに供給することで、液晶パネルにデータを供給するために用いる信号線の本数を少なくすることが記載されている。
【先行技術文献】
【特許文献】
【０００４】
【特許文献１】特開２００６−３２３３４１号公報
【発明の概要】
【発明が解決しようとする課題】
【０００５】
従来、液晶パネル上のデマルチプレクス回路におけるソースラインを駆動する素子及び画素電極に電位を与えるための素子として、十分に駆動力を確保する観点及び電力消費を少なくする観点からＮチャネルトランジスターが用いられる場合が多い。一般的に、Ｎチャネルトランジスターは、ソース電位がゲートのオン電位に対して電位差が小さくなる方向に変化する正極性におけるドレイン電位が目標電位に達するまでの時間が、ソース電位が目標ゲートのオン電位に対して電位差が大きくなる方向に変化する負極性におけるドレイン電位が目標電位に達するまでの時間よりも長くなる傾向があるという特徴がある。このため、ソースラインを正極性で駆動する場合の階調電位の書き込み時間がソースラインを負極性で駆動する場合の階調電位の書き込み時間よりも長くなる。これにより液晶表示装置に１枚の画像を表示するために要する時間が、ソースラインを正極性で駆動するのに要する時間により規定される場合があり、このことが、たとえば単位時間あたりに表示できる画素数を制限してしまうことがある。
【課題を解決するための手段】
【０００６】
本発明は、上述した問題又は課題の少なくともひとつを解決するためになされたものであり、以下の適用例又は実施形態として実現することが可能である。
【０００７】
［適用例１］
本適用例にかかる液晶駆動装置は、所定の期間を規定する第１の信号が入力され、前記第１の信号により入力が開始される第１のデータを保持する第１のラッチと、前記第１のデータを基に生成された第２のデータを正極性で出力する第１の期間を規定する第１のレジスターと、を含み、前記第１の期間は前記所定の期間よりも長く、前記第１のラッチに保持された前記第１のデータを基に生成された第３のデータを負極性で出力する第２の期間は前記所定の期間よりも短いことを特徴とする。
【０００８】
この構成によれば、第１のデータを基に生成された第２のデータを正極性で出力する第１の期間を、第１のラッチに保持された第１のデータを基に生成された第３のデータを負極性で出力する第２の期間よりも長くすることで、正極性で行う描画に十分な時間を確保しながら所定の数の画像データの描画に要する時間の合計を短くすることができる。所定の数とは、たとえば１フレームの画像データの数であり、また、たとえばフレームの中の１ラインの画像データの数である。所定の数の画像データの描画に要する時間を短くできることは、１フレーム分の画素数をより多くすることや１秒あたりに描画するフレーム数の増加につなげることができ、より高精細な画像の表示が可能となる。第１のデータは画像データであり、第２のデータ及び第３のデータは、たとえば液晶パネルのＴＦＴに対して出力するソースデータである。第３のデータの基となる第１のデータは第１のラッチに保持されていることから、第３のデータの出力前に次の第２のデータの基となる第１のデータの受信が始まるが、第３のデータの基となる第１のデータを消失することはない。
【０００９】
［適用例２］
上記適用例にかかる液晶駆動装置において、前記第１の期間の長さと前記第２の期間の長さとを加えた第３の期間の長さは、前記所定の期間の長さの２倍であることが好ましい。
【００１０】
この構成によれば、第１の期間の長さと第２の期間の長さとの合計である第３の期間の長さが所定の期間の長さの２倍と同じであることにより、第１の期間と第２の期間とを交互に繰り返す場合に第３の期間と所定の期間との同期をとることが容易となり、液晶駆動装置の設計を容易とすることができる。
【００１１】
［適用例３］
上記適用例にかかる液晶駆動装置において、前記第１の信号は、水平同期信号であることが好ましい。
【００１２】
この構成によれば、水平同期信号のタイミングを基準にして第３の期間の開始を制御することができる。
【００１３】
［適用例４］
上記適用例にかかる液晶駆動装置において、前記第１の期間は、前記所定の期間の長さと前記第２の期間の長さとの差である第１の時間の長さで規定され、前記第１のレジスターには前記第１の時間の長さを示す値が保持されることが好ましい。
【００１４】
この構成によれば、第１の期間を所定の期間の長さと第２の期間の長さとの差である第１の時間の長さで規定し、第１の時間を第１のレジスターに保持することで、第２の期間を開始するタイミングの制御に第１のレジスターの値を用いることができる。
【００１５】
［適用例５］
上記適用例にかかる液晶駆動装置において、第１の時間の長さを前記所定の期間の長さと前記第２の期間の長さとの差としたときに、前記第１の期間は、前記所定の期間の長さと前記第１の時間の長さとの和である第２の時間の長さで規定され、前記第１のレジスターには前記第２の時間の長さを示す値が保持されることが好ましい。
【００１６】
この構成によれば、第１の時間の長さを所定の期間の長さと第２の期間の長さとの差としたときに、第１の期間を所定の期間の長さと第１の時間の長さの和である第２の時間の長さで規定し、第２の時間を第１のレジスターに保持することで、第２の期間を開始するタイミングの制御に第１のレジスターの値を用いることができる。
【００１７】
［適用例６］
本適用例に係る液晶表示装置は、上記適用例に係る液晶駆動装置を有することが好ましい。
【００１８】
この構成によれば、より高精細な画像の表示が可能となる液晶表示装置を構成することができる。
【００１９】
［適用例７］
本適用例の係る電子機器は、上記適用例に係る液晶表示装置を有することが好ましい。
【００２０】
この構成によれば、より高精細な画像の表示が可能となる電子機器を構成することができる。
【００２１】
［適用例８］
本適用例にかかる液晶駆動装置の制御方法は、所定の期間を規定する第１の信号が入力され、前記第１の信号により入力が開始される第１のデータを保持する第１のラッチと、前記第１のデータを基に生成された第２のデータを正極性で出力する第１の期間を規定する第１のレジスターと、を用い、前記第１の期間は前記所定の期間よりも長くし、前記第１のラッチに保持された前記第１のデータを基に生成された第３のデータを負極性で出力する第２の期間は前記所定の期間よりも短くすることを特徴とする。
【００２２】
この方法によれば、正極性で行う描画に十分な時間を確保しながら所定の数の画像データの描画に要する時間の合計を短くすることができる。所定の数とは、たとえば１フレームの画像データの数であり、また、たとえばフレームの中の１ラインの画像データの数である。所定の数の画像データの描画に要する時間を短くできることは、１フレーム分の画素数をより多くすることや１秒あたりに描画するフレーム数の増加につなげることができ、より高精細な画像の表示が可能となる。
【００２３】
［適用例９］
上記適用例にかかる液晶駆動装置の制御方法において、前記第１の期間の長さと前記第２の期間の長さとを加えた第３の期間の長さは、前記所定の期間の長さの２倍であることが好ましい。
【００２４】
この方法によれば、第１の期間の長さと第２の期間の長さとの合計である第３の期間の長さが所定の期間の長さの２倍と同じであることにより、第１の期間と第２の期間とを交互に繰り返す場合に第３の期間と所定の期間との同期をとることが容易となり、液晶駆動装置の設計を容易とすることができる。
【００２５】
［適用例１０］
上記適用例にかかる液晶駆動装置の制御方法において、前記第１の信号は、水平同期信号であることが好ましい。
【００２６】
この方法によれば、水平同期信号のタイミングを基準にして第３の期間の開始を制御することができる。
【００２７】
［適用例１１］
上記適用例にかかる液晶駆動装置の制御方法において、前記第１の期間は、前記所定の期間の長さと前記第２の期間の長さとの差である第１の時間の長さで規定され、前記第１のレジスターには前記第１の時間の長さを示す値が保持されることが好ましい。
【００２８】
この方法によれば、第１の期間を所定の期間の長さと第２の期間の長さとの差である第１の時間の長さで規定し、第１の時間を第１のレジスターに保持することで、第２の期間を開始するタイミングの制御に第１のレジスターの値を用いることができる。
【００２９】
［適用例１２］
上記適用例にかかる液晶駆動装置の制御方法において、第１の時間の長さを前記所定の期間の長さと前記第２の期間の長さとの差としたときに、前記第１の期間は、前記所定の期間の長さと前記第１の時間の長さとの和である第２の時間の長さで規定され、前記第１のレジスターには前記第２の時間の長さを示す値が保持されることが好ましい。
【００３０】
この方法によれば、第１の時間の長さを所定の期間の長さと第２の期間の長さとの差としたときに、第１の期間を所定の期間の長さと第１の時間の長さの和である第２の時間の長さで規定し、第２の時間を第１のレジスターに保持することで、第２の期間を開始するタイミングの制御に第１のレジスターの値を用いることができる。
【図面の簡単な説明】
【００３１】
【図１】第１実施形態における液晶駆動装置の概略ブロック図。
【図２】液晶モジュールの概略ブロック図。
【図３】水平同期信号及び極性指示信号のタイムチャート図。
【図４】Ｎチャネルトランジスターの特徴説明のための図。
【図５】第２実施形態における液晶駆動装置の概略ブロック図。
【図６】水平同期信号及び極性指示信号を含む信号のタイムチャート図。
【図７】液晶表示装置及び電子機器の例を示した図。
【発明を実施するための形態】
【００３２】
以下、本発明を適用した液晶駆動装置の実施形態について図を用いて説明する。以降の実施形態において、液晶表示装置は液晶モジュールを有し、液晶モジュールは液晶パネルと液晶駆動装置とを含むこととする。
【００３３】
まず、本発明の適用がない従来のライン反転駆動方式の液晶駆動装置における、水平同期信号と極性指示信号とのタイミングの関係について説明する。水平同期信号及び極性指示信号の簡単なタイミングチャートを図３−（ｂ）に示す。水平同期信号は図中のＨＳＹＮＣがローレベルになることにより示される。また、図中のＰＯＬは極性指示信号のレベルを示し、ＰＯＬがハイレベルのときは、液晶パネルに対しての表示データが正極性で駆動され、ローレベルのときは負極性で駆動される。ＰＯＬのハイレベルからローレベルへの切り替え、及び、ＰＯＬのローレベルからハイレベルへの切り替えは垂直同期信号に同期する形で制御され、表示データが正極性で駆動される期間の長さＣ’と表示データが負極性で駆動される期間の長さＦ’とは略同一の長さとなる。
【００３４】
液晶パネルにおいてソースラインの駆動にはＮチャネルトランジスターを用いる場合が多い。上述したが、一般的に、Ｎチャネルトランジスターは、ソース電位がゲートのオン電位に対して電位差が小さくなる方向に変化する正極性におけるドレイン電位が目標電位に達するまでの時間が、ソース電位が目標ゲートのオン電位に対して電位差が大きくなる方向に変化する負極性におけるドレイン電位が目標電位に達するまでの時間よりも長くなる傾向があるという特徴がある。Ｎチャネルトランジスターのゲートがオンとなったときのドレインの電位の変化の模式図を図４−（ａ）に示す。図４−（ａ）におけるＧがゲート電位の変化である。図４−（ａ）には、バイアスをかけた中間電位からの変化を分かりやすくするために、正極性の場合の変化と負極性の場合の変化とを重ねて図示した。正極性の場合、ハイレベルの電位の変化がゲート電位と同じ方向に動くことからドレイン電位の上昇の早さが鈍り、目標電位の９９％に達するまでの時間が負極性の場合と比較して長くなる。
【００３５】
本発明の適用がない従来のライン反転駆動方式の液晶駆動装置における、表示データが正極性で駆動される場合、及び負極性で駆動される場合のゲート信号の電位に対する画像データの電位の変化の例を示した模式図を図４−（ｂ）に示す。
【００３６】
（第１実施形態）
本実施形態は、ライン反転駆動を行う液晶モジュールにおける液晶駆動装置としてのソースドライバーに本発明を適用したものである。ソースドライバーは、液晶パネル上のデマルチプレクサーに画像データから生成した表示データをドライブする回路である。
【００３７】
まず、本発明を適用したソースドライバーにおける、水平同期信号と極性指示信号とのタイミングの関係について説明する。図３−（ａ）に水平同期信号及び極性指示信号のタイミングを示す。上述したように、表示データを負極性で駆動する場合は、正極性で駆動する場合に比較して短い時間で十分な描画を行うことができる。本発明を適用したソースドライバーは、表示データを負極性で駆動する場合は、水平同期信号のタイミングから時間の長さＤ遅らせて表示データの駆動を開始する。表示データを正極性で駆動する期間は、水平同期信号の時間間隔の長さＣに時間の長さＤを加えた時間の長さＥとなる。時間の長さＦは表示データを負極性で描画するのに十分な時間であり、水平同期信号の時間間隔の２倍が時間の長さＥと時間の長さＦとの和となる。
【００３８】
図３−（ａ）と図３−（ｂ）とを比較して分かるように、本発明を適用することで、表示データを正極性で駆動するのに十分な時間の長さＥを確保しながら、水平同期信号の時間間隔を時間の長さＥよりも短くすることが可能である。尚、図４−（ｃ）に表示データが正極性で駆動される場合、及び負極性で駆動される場合のゲート信号の電位に対する表示データの電位の変化の例を示した模式図を示す。
【００３９】
次に、本実施形態におけるソースドライバー１００の概略ブロック図を図１に示す。ソースドライバー１００は、ソースドライバー制御部１１０、表示データ生成部１２０、データ保持部１３０を含む。ソースドライバー１００への入力信号としてＨＳＹＮＣ４０１及び画像データ信号４０２を、ソースドライバー１００からの出力として表示データ信号１２１及び極性指示信号１０３を図１に示す。ＨＳＹＮＣ４０１及び画像データ信号４０２は、液晶駆動装置内の表示制御部に接続され、ＨＳＹＮＣ４０１からは水平同期信号が、画像データ信号４０２からは画像データが入力される。表示データ信号１２１は液晶パネルに対する表示データを駆動する信号である。また、極性指示信号１０３は、液晶駆動装置内の電源部に接続され、電源の極性の制御のために用いられる。尚、本実施形態及び以降の実施形態の説明において、説明を行う上で直接関係がない制御信号等の図示及び説明は省略する。
【００４０】
ソースドライバー制御部１１０は、タイミング制御に必要な信号と画像データとが入力され、ソースドライバー１００内部の制御を行う部分である。ＨＳＹＮＣ４０１及び画像データ信号４０２はソースドライバー制御部１１０に接続される。また、ソースドライバー制御部１１０は、表示データ信号１２１を正極性で駆動するときの期間を指定する値を格納する第１のレジスター１８０を有する。ソースドライバー制御部１１０は、入力されるタイミング信号及び第１のレジスター１８０の値を基にしてソースドライバー１００内部の他のブロックに対しての制御信号を生成する。図１において図示したのは、表示データ生成部１２０を制御する制御信号１１１、第２データラッチ部１４０を制御する制御信号１１２、第１データラッチ部１５０を制御する制御信号１１３及びデータレジスター部１６０を制御する制御信号１１５である。また、ソースドライバー制御部１１０は、極性指示信号（ＰＯＬ）を生成し、極性指示信号１０３を介して電源部に出力する。
【００４１】
データ保持部１３０は、入力データラッチ部１７０、データレジスター部１６０、第１データラッチ部１５０及び第２データラッチ部１４０を有する。入力データラッチ部１７０は、ソースドライバー制御部１１０が画像データ信号４０２として受信した画像データをデータレジスター部１６０に格納するために、タイミング調整を目的として一時的に保持するラッチである。制御信号１１５によりタイミングの制御が行われ、入力データラッチ部１７０に保持された画像データが、データレジスター部１６０に順次格納される。データレジスター部１６０は１ライン分の画像データを格納することができる。
【００４２】
データレジスター部１６０に格納された１ライン分の画像データは、表示データ生成部１２０における１ライン分の画像データの処理が終了するタイミングに合わせて、第１データラッチ部１５０に保持され、次に第２データラッチ部１４０に保持される。また、場合によっては第１データラッチ部１５０をスルーして第２データラッチ部１４０に保持される。データレジスター部１６０からの画像データの移動は、ソースドライバー制御部１１０から出力される制御信号１１１、１１２及び１１４により行われる。
【００４３】
表示データ生成部１２０は、マルチプレクサー部及びＤ／Ａコンバーター部などを含み、画像データを表示データ信号１２１に変換する部分である。液晶パネルに対しての信号線の本数を少なくするために、所定の数の画像データが時分割でひとつの信号線を用いて液晶パネルに駆動される。マルチプレクサー部は、第２データラッチ部１４０の出力から所定の数の画像データを時分割で順次選択する回路であり、選択された画像データがひとつの信号線を用いて液晶パネルに駆動されることになる。マルチプレクサー部で選択された画像データは表示データ生成部内部の後段の処理部に送られる。該後段の処理部にはＤ／Ａコンバーター部が含まれる。送られた画像データはＤ／Ａコンバーター部でアナログデータに変換され、表示データ信号１２１を介してソースドライバー１００外部に出力される（液晶パネルに駆動される）。尚、表示データ生成部１２０は、マルチプレクサー部及びＤ／Ａコンバーター部以外の処理部が存在するが、本実施形態における論理的な動作説明とは直接関係ないことから図示及び説明を省略した。また、第２データラッチ部１４０に保持された１ライン分の画像データの処理に必要な時間の長さは、水平同期信号の時間間隔の長さと略同一である。
【００４４】
次に、図２に上述したソースドライバー１００を用いた液晶モジュール１の概略ブロック図を示す。液晶モジュール１は、液晶パネル部１６００、表示制御部１４００、電源部１５００、ゲートドライバー部１３００及びソースドライバー部１１００を含む。ソースドライバー部１１００が上述したソースドライバー１００に相当する。
【００４５】
液晶パネル部１６００は、ＴＦＴ１１９０がマトリクス状に配置されたアクティブマトリクス型の液晶パネルである。ソースドライバー部１１００が駆動する表示データ信号１１２１は、液晶パネル部１６００内のデマルチプレクサー１１８０により８つのソースデータ１１８１に分割される。従って、液晶モジュール１においてソースドライバー部１１００の表示データ生成部１２０におけるマルチプレクサー部によってひとつの表示データ信号１１２１となるべく選択される画像データの数は８である。表示データ信号１１２１の本数は、１ラインの画素数の１／８となる。デマルチプレクサー１１８０により分割されたソースデータ１１８１は、ゲートドライバー部１３００から出力するゲート信号１１３１により制御されるＴＦＴ１１９０を介して画素電極１１９１に書き込まれる。図２中、容量１６０１は画素電極１１９１及び共通電極１１４１に挟まれた液晶組成物をモデル化して記載したものである。尚、以降の説明において液晶パネル部１６００における複数のＴＦＴの各々を、ＴＦＴ１１９０として記載する。
【００４６】
表示制御部１４００は、液晶モジュール１に入力される信号１７０１に含まれる画像データを表示するために液晶モジュール１内部の制御を行う部分である。ＨＳＹＮＣ１４０１、画像データ信号１４０２、ゲートドライバー制御信号１４０４及び電源制御信号１４０３が表示制御部１４００から出力される。
【００４７】
電源部１５００は、液晶モジュール１内の電源制御を行う部分であり、表示制御部１４００及びソースドライバー部１１００により制御される。表示制御部１４００からは電源制御信号１４０３により表示パネルへの電源供給のオン、オフなどの制御がなされる。また、ソースドライバー部１１００からは極性指示信号１１０３により液晶パネルを駆動するための電源極性の制御が行われる。電源部１５００は、表示制御部１４００及びソースドライバー部１１００による制御に従い、ソースドライバー部１１００の電源１５０１、共通電極１１４１の電源１５０２などの制御を行う。
【００４８】
以降、ソースドライバー部１１００の内部の説明に図１で示したブロック図を用いる。尚、図２におけるＨＳＹＮＣ１４０１は図１におけるＨＳＹＮＣ４０１に対応し、図２における画像データ信号１４０２は図１における画像データ信号４０２に対応し、図２における極性指示信号１１０３は図１における極性指示信号１０３に対応する。
【実施例１】
【００４９】
本実施例は、第１のレジスター１８０の値が図３の時間間隔Ｄの長さを示す値である場合である。時間間隔Ｄの長さを示す値に基づいて表示データ信号１１２１を正極性で駆動する時間間隔Ｅの長さが規定される。従って、時間間隔Ｄの長さを示す値に基づいて、表示データ生成部１２０内のマルチプレクサーの動作タイミング、表示データ信号１１２１の駆動タイミング、ゲートドライバー部１３００のゲート信号１１３１を駆動するタイミング及び液晶パネル部１６００内のデマルチプレクサー１１８０の動作タイミングなどが規定される。
【００５０】
１フレームの画像データは複数のラインの画像データから構成されるが、液晶モジュール１における一連の動作について、連続する３つのラインの画像データにおける処理により説明を行う。連続する３つのラインは、表示制御部１４００に入力される順番に従い１番目のライン、２番目のライン及び３番目のラインと呼ぶこととし、１番目のライン及び３番目のラインの画像データから生成される表示データが正極性で駆動され、２番目のラインの画像データから生成される表示データが負極性で駆動されるものとする。また、説明に図３−（ａ）に示したタイムチャートを流用する。尚、ｎ番目のラインの画像データから生成される表示データを、ｎ番目のラインの表示データと呼ぶことにする。
【００５１】
１番目のラインの画像データのデータレジスター部１６０への格納が終了した時点から説明を始める。２番目のラインの画像データに対する水平同期信号が、図３−（ａ）の（１）である。データレジスター部１６０に格納された１番目のラインの画像データは、図３−（ａ）の（１）のタイミングで第１データラッチ部１５０をスルーし、第２データラッチ部１４０に保持される。第２データラッチ部１４０に保持された画像データは、表示データ生成部１２０により１番目のラインの表示データに変換され、表示データ信号１２１（図２の表示データ信号１１２１）を介して液晶パネル部１６００に対し駆動される。図３−（ａ）の時間間隔Ｅが１番目のラインの表示データが正極性で駆動される期間を示す。
【００５２】
図３−（ａ）の（１）の水平同期信号に同期して２番目のラインの画像データの入力が開始され、データレジスター部１６０に順次格納される。図３−（ａ）の（１）のタイミングから時間Ｃが経過するまでに２番目のラインの画像データはすべてデータレジスター部１６０に格納され、図３−（ａ）の（２）のタイミングでデータレジスター部１６０に格納された２番目のラインの画像データは第１データラッチ部１５０に保持される。図３−（ａ）の（２）は３番目のラインの画像データの水平同期信号である。以降、３番目のラインの画像データがデータレジスター部１６０に順次格納される。図３−（ａ）の（２）の水平同期信号で規定されるタイミングから第１のレジスター１８０の値で規定される時間Ｄが経過するまでは、表示データ生成部１２０において１番目のラインの画像データに対しての処理が行われており、第２データラッチ部１４０には１番目のラインの画像データが保持され、第１データラッチ部１５０には２番目のラインの画像データが保持される。
【００５３】
１番目のラインの画像データによる表示データ信号１２１の駆動は、図３−（ａ）の（２）の水平同期信号から時間Ｄが経過すると終了する。時間Ｄが経過すると極性指示信号１０３（図２における１１０３）が負極性駆動を指示するローレベルに変化し、電源部１５００は負極性駆動に適した電位の制御を電源１５０１及び電源１５０２に対して行う。また、極性指示信号１０３がローレベルに変化するのに同期して第１データラッチ部１５０に保持されていた２番目のラインの画像データが第２データラッチ部１４０に保持され、表示データ生成部１２０において２番目のラインの画像データが２番目のラインの表示データに変換され、表示データ信号１２１を介して液晶パネル部１６００に対し負極性で駆動される。
【００５４】
図３−（ａ）の（３）の水平同期信号で規定されるタイミングまでに３番目のラインの画像データはすべてデータレジスター部１６０に格納される。また、２番目のラインの表示データの液晶パネル部１６００に対しての駆動は終了する。データレジスター部１６０に格納された３番目のラインの画像データは図３−（ａ）の（３）の水平同期信号で規定されるタイミングで第１データラッチ部１５０をスルーし、第２データラッチ部１４０に保持される。また、ソースドライバー制御部１１０により極性指示信号１０３がハイレベルに制御される。これに応じて、電源部１５００は正極性駆動に適した電位の制御を電源１５０１及び電源１５０２に対して行う。表示データ生成部１２０により３番目のラインの画像データは３番目のラインの表示データに変換され、表示データ信号１２１を介して液晶パネル部１６００に対して正極性で駆動される。
【００５５】
以降、上述した１番目のラインの画像データ、２番目のラインの画像データ及び３番目のラインの画像データに対しての処理に相当する処理が繰り返され、液晶パネル部１６００は本発明を適用した液晶駆動装置によりライン反転駆動方式の駆動がなされる。
【実施例２】
【００５６】
本実施例は、第１のレジスター１８０の値が図３−（ａ）の時間間隔Ｅの長さを示す値である場合である。第１のレジスター１８０の値に基づいて、表示データ信号１１２１を正極性で駆動する時間間隔の長さが規定される。また、第１のレジスター１８０の値に基づいて、表示データ生成部１２０内のマルチプレクサーの動作タイミング、表示データ信号１１２１の駆動タイミング、ゲートドライバー部１３００のゲート信号１１３１を駆動するタイミング及び液晶パネル部１６００内のデマルチプレクサー１１８０の動作タイミングなどが規定される。本実施例の説明においても、実施例１と同様に、連続する３つのラインの画像データにおける処理を用いることとする。また、タイムチャートは図３−（ａ）に示したものを流用する。また、本実施例の説明も実施例１と同様に、１番目のラインの画像データが第２データラッチ部１４０に格納されたところから説明を開始する。
【００５７】
第２データラッチ部１４０に格納された１番目のラインの画像データは表示データ生成部１２０において表示データに変換され、表示データ信号１２１を介して液晶パネル部１６００に正極性で駆動されている。２番目のラインの画像データは入力データラッチ部１７０に一時保持された後、データレジスター部１６０に順次格納されている。
【００５８】
図３−（ａ）の（１）のタイミングから時間Ｃが経過するまでに２番目のラインの画像データはすべてデータレジスター部１６０に格納され、図３−（ａ）の（２）のタイミングでデータレジスター部１６０に格納された２番目のラインの画像データは第１データラッチ部１５０に保持される。図３−（ａ）の（２）は３番目のラインの画像データの水平同期信号である。以降、３番目のラインの画像データがデータレジスター部１６０に順次格納される。
【００５９】
ソースドライバー制御部１１０は、１番目のラインの表示データの駆動を開始してから第１のレジスター１８０の値で示される時間Ｅが終了すると極性指示信号１０３をハイレベルからローレベルに切り替えるとともに、第１データラッチ部１５０に保持していた２番目のラインの画像データを第２データラッチ部１４０に保持する。２番目のラインの画像データが表示データに変換され、表示データ信号１２１を介して液晶パネル部１６００に対して負極性で駆動される。また、３番目のラインの画像データはデータレジスター部１６０に順次格納される。
【００６０】
図３−（ａ）の（３）の水平同期信号で規定されるタイミングまでに３番目のラインの画像データはすべてデータレジスター部１６０に格納される。また、２番目のラインの表示データの液晶パネル部１６００に対しての駆動は終了する。データレジスター部１６０に格納された３番目のラインの画像データは図３−（ａ）の（３）の水平同期信号で規定されるタイミングで第１データラッチ部１５０をスルーし、第２データラッチ部１４０に保持される。また、ソースドライバー制御部１１０により極性指示信号１０３がハイレベルに制御される。これに応じて、電源部１５００は正極性駆動に適した電位の制御を電源１５０１及び電源１５０２に対して行う。表示データ生成部１２０により３番目のラインの画像データは３番目のラインの表示データに変換され、表示データ信号１２１を介して液晶パネル部１６００に対して正極性で駆動される。
【００６１】
以降、上述した１番目のラインの画像データ、２番目のラインの画像データ及び３番目のラインの画像データに対しての処理に相当する処理が繰り返され、液晶パネル部１６００は本発明を適用した液晶駆動装置によりライン反転駆動方式の駆動がなされる。
【００６２】
（第２実施形態）
本実施形態は、ライン反転駆動を行う液晶駆動装置におけるソースドライバーに本発明を適用したものである。本実施形態のソースドライバー２００の概略ブロック図を図５に示す。ソースドライバー２００は、ソースドライバー制御部２１０、表示データ生成部２２０、データ保持部２３０を含む。また、ソースドライバー２００外部からの入力信号としてＨＳＹＮＣ２０１及び画像データ信号２０２を、ソースドライバー２００からの出力として表示データ信号２２１及び極性指示信号２０３を図５に示す。ＨＳＹＮＣ２０１及び画像データ信号２０２は、液晶駆動装置内の表示制御部に接続され、ＨＳＹＮＣ２０１からは水平同期信号が、画像データ信号２０２からは画像データが入力される。
【００６３】
データ保持部２３０は、入力データラッチ部２７０、第１データレジスター部２５０、第２データレジスター部２６０及びデータラッチ部２４０を含む。入力データラッチ部２７０に一時保持された画像データは、第１データレジスター部２５０又は第２データレジスター部２６０のいずれか一方に格納され、その後いずれか一方に格納された画像データがデータラッチ部２４０に保持される。
【００６４】
ソースドライバー２００のソースドライバー制御部２１０、第１のレジスター２８０、表示データ生成部２２０、入力データラッチ部２７０及びデータラッチ部２４０は、それぞれ第１実施形態におけるソースドライバー１００のソースドライバー制御部１１０、第１のレジスター１８０、表示データ生成部１２０、入力データラッチ部１７０及び第２データラッチ部１４０に対応する。また、図５に示したＨＳＹＮＣ２０１、画像データ信号２０２、極性指示信号２０３、表示データ信号２２１、制御信号２１１及び制御信号２１２は、図１に示したＨＳＹＮＣ４０１、画像データ信号４０２、極性指示信号（ＰＯＬ）１０３、表示データ信号１２１、制御信号１１１及び制御信号２１２にそれぞれ対応する。これらの機能ブロックは果たす機能もほぼ同等であることから、本実施形態の説明は第１実施形態と異なる部分について行うこととする。
【００６５】
ソースドライバー２００において、データラッチ部２４０の入力となるのは第１データレジスター部２５０及び第２データレジスター部２６０である。制御信号２１６により第１データレジスター部２５０又は第２データレジスター部２６０のいずれかが選択される。また、制御信号２１５は第１データレジスター部２５０に対して入力データラッチ部２７０に一時保持した画像データの書き込みを制御する信号であり、制御信号２１７は第２データレジスター部２６０に対して入力データラッチ部２７０に一時保持した画像データの書き込みを制御する信号である。入力データラッチ部２７０に一時保持された画像データは制御信号２１５及び制御信号２１７により制御され、第１データレジスター部２５０又は第２データレジスター部２６０のいずれか一方に順次格納される。
【００６６】
また、ソースドライバー２００を用いた液晶モジュールとして、図２に示した液晶モジュール１を流用して説明を行う。図２中、ソースドライバー部１１００がソースドライバー２００に相当する。
【実施例３】
【００６７】
本実施例は、第１のレジスター２８０の値が図３の時間間隔Ｄの長さを示す値とする場合である。時間間隔Ｄの長さを示す値に基づいて表示データ信号１１２１を正極性で駆動する時間間隔Ｅの長さが規定される。従って、時間間隔Ｄの長さを示す値に基づいて、表示データ生成部２２０内のマルチプレクサーの動作タイミング、表示データ信号１１２１の駆動タイミング、ゲートドライバー部１３００のゲート信号１１３１を駆動するタイミング及び液晶パネル部１６００内のデマルチプレクサー１１８０の動作タイミングなどが規定される。
【００６８】
本実施例においても、説明に連続する３つのラインの画像データにおける処理を用いることとする。また、説明において図３−（ａ）に示したタイムチャートを使用する。また、本実施例の説明も、上述した実施例と同様に、１番目のラインの画像データがデータラッチ部２４０に格納されたところから説明を開始する。
【００６９】
データラッチ部２４０に格納された１番目のラインの画像データは表示データ生成部２２０において表示データに変換され、表示データ信号２２１を介して液晶パネル部１６００に正極性で駆動されている。２番目のラインの画像データは入力データラッチ部２７０に一時保持された後、第１データレジスター部２５０に順次格納されている。第１データレジスター部２５０への画像データの書き込みはソースドライバー制御部２１０から出力される制御信号２１５により制御される。
【００７０】
図３−（ａ）の（１）のタイミングから時間Ｃが経過するまでに２番目のラインの画像データはすべて第１データレジスター部２５０に格納される。図３−（ａ）の（２）のタイミングで３番目のラインの画像データの入力が始まり、３番目のラインの画像データは入力データラッチ部２７０に一時保持された後、第２データレジスター部２６０に順次格納される。第２データレジスター部２６０への画像データの書き込みはソースドライバー制御部２１０から出力される制御信号２１７により制御される。第１データレジスター部２５０には２番目のラインの画像データが格納されたままである。
【００７１】
１番目のラインの画像データによる表示データ信号２２１の駆動は、図３−（ａ）の（２）の水平同期信号から時間Ｄが経過すると終了する。時間Ｄが経過すると極性指示信号２０３（図２における極性指示信号１１０３）が負極性駆動を指示するローレベルに変化し、電源部１５００は負極性駆動に適した電位の制御を電源１５０１及び電源１５０２に対して行う。また、制御信号２１６によりデータラッチ部２４０の入力として第１データレジスター部２５０が選択され、極性指示信号２０３がローレベルに変化するのに同期して、第１データレジスター部２５０に格納されている２番目のラインの画像データがデータラッチ部２４０に保持される。データラッチ部２４０に保持された２番目のラインの画像データは、表示データ生成部２２０において処理が行われ、２番目のラインの表示データに変換された後表示データ信号２２１を介して液晶パネル部１６００に負極性で駆動される。２番目のラインの表示データの駆動は、駆動を開始してから時間Ｆで終了する。
【００７２】
図３−（ａ）の（３）の水平同期信号で規定されるタイミングまでに３番目のラインの画像データはすべて第２データレジスター部２６０に格納される。制御信号２１６によりデータラッチ部２４０の入力として第２データレジスター部２６０が選択され、第２データレジスター部２６０に格納された３番目のラインの画像データは図３−（ａ）の（３）の水平同期信号で規定されるタイミングでデータラッチ部２４０に保持される。また、ソースドライバー制御部２１０により極性指示信号２０３がハイレベルに制御される。これに応じて、電源部１５００は正極性駆動に適した電位の制御を電源１５０１及び電源１５０２に対して行う。表示データ生成部２２０により３番目のラインの画像データは３番目のラインの表示データに変換され、表示データ信号２２１を介して液晶パネル部１６００に対し正極性で駆動される。
【００７３】
以降、上述した１番目のラインの画像データ、２番目のラインの画像データ及び３番目のラインの画像データに対しての処理に相当する処理が繰り返され、液晶パネル部１６００は本発明を適用した液晶駆動装置によりライン反転駆動方式の駆動がなされる。
【実施例４】
【００７４】
本実施例は、第１のレジスター２８０の値が図３−（ａ）の時間間隔Ｅの長さを示す値である場合である。第１のレジスター２８０の値に基づいて、表示データ信号１１２１を正極性で駆動する時間間隔の長さが規定される。また、第１のレジスター２８０の値に基づいて、表示データ生成部２２０内のマルチプレクサーの動作タイミング、表示データ信号１１２１の駆動タイミング、ゲートドライバー部１３００のゲート信号１１３１を駆動するタイミング及び液晶パネル部１６００内のデマルチプレクサー１１８０の動作タイミングなどが規定される。本実施例の説明においても、上述した実施例と同様に、連続する３つのラインの画像データにおける処理を用いることとする。また、タイムチャートは図３−（ａ）に示したものを流用する。また、本実施例の説明も、上述した実施例と同様に、１番目のラインの画像データがデータラッチ部２４０に格納されたところから説明を開始する。
【００７５】
データラッチ部２４０に格納された１番目のラインの画像データは表示データ生成部２２０において表示データに変換され、表示データ信号２２１を介して液晶パネル部１６００に正極性で駆動されている。２番目のラインの画像データは入力データラッチ部２７０に一時保持された後、第１データレジスター部２５０に順次格納されている。第１データレジスター部２５０への画像データの書き込みはソースドライバー制御部２１０から出力される制御信号２１５により制御される。
【００７６】
ソースドライバー制御部２１０は、１番目のラインの表示データの駆動を開始してから第１のレジスター２８０の値で示される時間Ｅが経過すると極性指示信号２０３（図２における１１０３）が負極性駆動を指示するローレベルに変化し、電源部１５００は負極性駆動に適した電位の制御を電源１５０１及び電源１５０２に対して行う。また、制御信号２１６によりデータラッチ部２４０の入力として第１データレジスター部２５０が選択され、極性指示信号２０３がローレベルに変化するのに同期して、第１データレジスター部２５０に格納されている２番目のラインの画像データがデータラッチ部２４０に保持される。データラッチ部２４０に保持された２番目のラインの画像データは、表示データ生成部２２０において処理が行われ、２番目のラインの表示データに変換された後表示データ信号２２１を介して液晶パネル部１６００に負極性で駆動される。２番目のラインの表示データの駆動は、駆動を開始してから時間Ｆで終了する。
【００７７】
図３−（ａ）の（３）の水平同期信号で規定されるタイミングまでに３番目のラインの画像データはすべて第２データレジスター部２６０に格納される。制御信号２１６によりデータラッチ部２４０の入力として第２データレジスター部２６０が選択され、第２データレジスター部２６０に格納された３番目のラインの画像データは図３−（ａ）の（３）の水平同期信号で規定されるタイミングでデータラッチ部２４０に保持される。また、ソースドライバー制御部２１０により極性指示信号２０３がハイレベルに制御される。これに応じて、電源部１５００は正極性駆動に適した電位の制御を電源１５０１及び電源１５０２に対して行う。表示データ生成部２２０により３番目のラインの画像データは３番目のラインの表示データに変換され、表示データ信号２２１を介して液晶パネル部１６００に正極性で駆動される。
【００７８】
以降、上述した１番目のラインの画像データ、２番目のラインの画像データ及び３番目のラインの画像データに対しての処理に相当する処理が繰り返され、液晶パネル部１６００は本発明を適用した液晶駆動装置によりライン反転駆動方式の駆動がなされる。
【００７９】
ライン反転駆動方式の場合の説明を上述したが、同様の考え方をフレーム反転駆動方式及びドット反転駆動方式に適用することができる。図６−（ａ）に、フレーム反転駆動方式における垂直同期信号、水平同期信号及び極性指示信号の概略タイミングチャートを示す。垂直同期信号はＶＳＹＮＣ、水平同期信号はＨＳＹＮＣ及び極性指示信号はＰＯＬとして示した。図で示した期間Ｈが垂直同期信号の間隔であり、期間Ｋが表示データを正極性で駆動する期間となる。表示データを負極性で駆動開始するタイミングは、期間Ｊ又は期間Ｋで規定することができる。また、図６−（ｂ）に、ドット反転駆動方式における水平同期信号、ドットクロック及び極性指示信号の概略タイミングチャートを示す。水平同期信号はＨＳＹＮＣ、ドットクロックはＤＣＬＫ及び極性指示信号はＰＯＬで示した。ドットクロックは１画素あたりの描画時間を規定するクロックである。図示したように、表示データを正極性で駆動する時間を負極性で駆動する時間よりも長くすることで、単位画素あたりの描画時間を少なくすることができる。
【００８０】
尚、上述の説明において、たとえば「水平同期信号で規定されるタイミング」というような記載を行っているが、この記載の場合、水平同期信号そのもののタイミングだけでなく、水平同期信号が基点となって生成される制御信号によるタイミングも含むものとする。たとえば、水平同期信号を内部で遅延させた信号や、内部同期用のクロックでサンプリングした信号によるタイミングが含まれる。
【００８１】
また、本発明の適用は必ずしも上記実施形態に限られるものではない。たとえば表示データ生成部が参照するデータラッチ部を複数設け、１ライン毎に巡回参照するようにしてもかまわない。
【００８２】
図７−（ａ）に上述した液晶モジュール１を有する液晶表示装置２を、図７−（ｂ）に電子機器３を示す。尚、上述した液晶モジュール１を有する液晶表示装置及び電子機器は図７に示したものに限らない。
【符号の説明】
【００８３】
１…液晶モジュール、２…液晶表示装置、３…電子機器、１００…ソースドライバー、１０３…極性指示信号、１１０…ソースドライバー制御部、１１１…制御信号、１１２…制御信号、１１３…制御信号、１１５…制御信号、１２０…表示データ生成部、１２１…表示データ信号、１３０…データ保持部、１４０…第２データラッチ部、１５０…第１データラッチ部、１６０…データレジスター部、１７０…入力データラッチ部、１８０…第１のレジスター、２００…ソースドライバー、２０１…ＨＳＹＮＣ、２０２…画像データ信号、２０３…極性指示信号、２１０…ソースドライバー制御部、２１１…制御信号、２１２…制御信号、２１５…制御信号、２１６…制御信号、２１７…制御信号、２２０…表示データ生成部、２２１…表示データ信号、２３０…データ保持部、２４０…データラッチ部、２５０…第１データレジスター部、２６０…第２データレジスター部、２７０…入力データラッチ部、２８０…第１のレジスター、４０１…ＨＳＹＮＣ、４０２…画像データ信号、１１００…ソースドライバー部、１１０３…極性指示信号、１１２１…表示データ信号、１１３１…ゲート信号、１１４１…共通電極、１１８０…デマルチプレクサー、１１８１…ソースデータ、１１９０…ＴＦＴ、１１９１…画素電極、１３００…ゲートドライバー部、１４００…表示制御部、１４０１…ＨＳＹＮＣ、１４０２…画像データ信号、１４０３…電源制御信号、１４０４…ゲートドライバー制御信号、１５００…電源部、１５０１…電源、１５０２…電源、１６００…液晶パネル部、１６０１…容量、１７０１…信号。
【図１】
2011186282.tif 000003
【図２】
2011186282.tif 000004
【図３】
2011186282.tif 000005
【図４】
2011186282.tif 000006
【図５】
2011186282.tif 000007
【図６】
2011186282.tif 000008
【図７】
2011186282.tif 000009